(57)【特許請求の範囲】
【請求項１】
支持部材と、
前記支持部材から上方に突出した固定軸と、
円板と、
前記円板の中心から上方に突出し、かつ、その内周に前記固定軸が配された円筒形の円筒回転軸と、
前記円筒回転軸を前記固定軸に対し回転自在に支持するベアリングと、
前記円筒回転軸の外周における前記円板上に植毛され、手摺りベルトを清掃するブラシ毛と、
前記ブラシ毛の上端部より上方に位置する前記円筒回転軸に固定されたローラと、
を有する乗客コンベアの手摺りベルト清掃装置。
【請求項２】
支持部材と、
前記支持部材から上方に突出した固定軸と、
円板と、
前記円板の中心から上方に立設され、かつ、その内周に前記固定軸が配された円筒形の円筒回転軸と、
前記円筒回転軸を前記固定軸に対し回転自在に支持するベアリングと、
前記円筒回転軸の外周における前記円板上に設けられた手摺りベルトを清掃する布と、
前記布より上方に位置する前記円筒回転軸に固定されたローラと、
を有する乗客コンベアの手摺りベルト清掃装置。
【請求項３】
前記ブラシ毛が、前記円板の上面の全てから法線方向に植毛されている、
請求項１に記載の乗客コンベアの手摺りベルト清掃装置。
【請求項４】
前記円板上から前記円筒回転軸にかけて傾斜部が設けられ、
前記ブラシ毛が前記円板の上面の全て、及び、前記傾斜部に対し法線方向に植毛されている、
請求項１に記載の乗客コンベアの手摺りベルト清掃装置。
【請求項５】
前記ブラシ毛の長さが、前記円板の中心から外周に向うほど短く形成されている、
請求項１に記載の乗客コンベアの手摺りベルト清掃装置。
【請求項６】
前記ローラが、ゴム製である、
請求項１に記載の乗客コンベアの手摺りベルト清掃装置。
【請求項７】
トラスと、
前記トラスに沿って走行する踏段と、
前記踏段の左右両側における前記トラスから立設された欄干と、
前記欄干の下部に設けられたスカートガードと、
前記欄干の上部を走行する断面Ｃ字型の手摺りベルトと、
前記欄干の一方の下部から前記手摺りベルトが侵入し、前記欄干の他方の下部から前記手摺りベルトが進出する間の前記手摺りベルトの走行路の側部に設けられた請求項１の手摺りベルト清掃装置と、
を有し、
前記手摺りベルト清掃装置の支持金具が前記トラスに固定され、
ローラが、前記手摺りベルトの表面と接触して、前記手摺りベルトの走行と共に回転し、
ブラシ毛が前記手摺りベルトの表面に接触している、
乗客コンベア。
【請求項８】
トラスと、
前記トラスに沿って走行する踏段と、
前記踏段の左右両側における前記トラスから立設された欄干と、
前記欄干の下部に設けられたスカートガードと、
前記欄干の上部を走行する断面Ｃ字型の手摺りベルトと、
前記欄干の一方の下部から前記手摺りベルトが侵入し、前記欄干の他方の下部から前記手摺りベルトが進出する間の前記手摺りベルトの走行路の側部に設けられた請求項２の手摺りベルト清掃装置と、
を有し、
前記手摺りベルト清掃装置の支持金具が前記トラスに固定され、
ローラが、前記手摺りベルトの表面と接触して、前記手摺りベルトの走行と共に回転し、
布が前記手摺りベルトの表面に押圧されている、
乗客コンベア。
【請求項９】
前記手摺りベルトの前記走行路の左右両側に前記手摺りベルト清掃装置が設けられ、
左側の前記手摺りベルト清掃装置と右側の前記手摺りベルト清掃装置とが、前記走行路に沿ってずれた位置に設けられている、
請求項７又は８に記載の乗客コンベア。
【請求項１０】
前記乗客コンベアは、エスカレータ、又は、動く歩道である、
請求項６に記載の乗客コンベア。
【発明の詳細な説明】
【技術分野】
【０００１】
本発明の実施形態は、乗客コンベアの手摺りベルト清掃装置及びそれを用いた乗客コンベアに関するものである。
【背景技術】
【０００２】
エスカレータや動く歩道などの乗客コンベアにおいては、欄干の上部を手摺りベルトが走行し、この手摺りベルトを乗客が掴んで移動している。手摺りベルトは、多くの人が直接接触するため汚れが付着し易く、また野外施設に設けられている場合は、空気中の埃なども付着する。
【０００３】
そのため、手摺りベルトを自動的に清掃する清掃装置として、手摺りベルトの走行路中に手摺りベルトの表面に押し当てられて回転する駆動ローラと、手摺りベルトを清掃するブラシローラと、駆動ローラとブラシローラとを連結する回転連動機構を設けた清掃装置が提案されている。
【先行技術文献】
【特許文献】
【０００４】
【特許文献１】特開２０１２−２１８８９２号公報
【発明の概要】
【発明が解決しようとする課題】
【０００５】
しかし、上記のような手摺りベルトの清掃装置であると、その構造が複雑であり、部品点数が多くなるため費用が掛かると共に、常に走行している手摺りベルトと共に回転するため壊れ易いという問題点があった。
【０００６】
そこで、本発明の実施形態は、上記問題点に鑑み、構造が簡単で壊れ難い乗客コンベアの手摺りベルト清掃装置及びそれを用いた乗客コンベアを提供することを目的とする。
【課題を解決するための手段】
【０００７】
本発明の実施形態は、支持部材と、前記支持部材から上方に突出した固定軸と、円板と、前記円板の中心から上方に突出し、かつ、その内周に前記固定軸が配された円筒形の円筒回転軸と、前記円筒回転軸を前記固定軸に対し回転自在に支持するベアリングと、前記円筒回転軸の外周における前記円板上に植毛され、手摺りベルトを清掃するブラシ毛と、前記ブラシ毛の上端部より上方に位置する前記円筒回転軸に固定されたローラと、を有する乗客コンベアの手摺りベルト清掃装置である。
【０００８】
また、本発明の実施形態は、支持部材と、前記支持部材から上方に突出した固定軸と、円板と、前記円板の中心から上方に立設され、かつ、その内周に前記固定軸が配された円筒形の円筒回転軸と、前記円筒回転軸を前記固定軸に対し回転自在に支持するベアリングと、前記円筒回転軸の外周における前記円板上に設けられた手摺りベルトを清掃する布と、前記布より上方に位置する前記円筒回転軸に固定されたローラと、を有する乗客コンベアの手摺りベルト清掃装置である。
【図面の簡単な説明】
【０００９】
【図１】本発明の一実施形態を示すエスカレータの側面から見た説明図。
【図２】左右一対の清掃装置を上から見た図。
【図３】左右一対の清掃装置の正面図。
【図４】清掃装置の拡大縦断面図。
【図５】変更例の清掃装置の拡大縦断面図。
【発明を実施するための形態】
【００１０】
本発明の実施形態の乗客コンベアの手摺りベルト清掃装置を有する乗客コンベアについて図１〜図４に基づいて説明する。本実施形態では乗客コンベアとしてエスカレータ１０で説明する。
【００１１】
（１）エスカレータ１０
エスカレータ１０の構造について、図１に基づいて説明する。図１はエスカレータ１０を側面から見た説明図である。
【００１２】
エスカレータ１０の枠組みであるトラス１２が、建屋１の上階と下階に跨がって支持アングル２，３を用いて支持されている。
【００１３】
トラス１２の上端部にある上階側の機械室１４内部には、踏段３０を走行させる駆動装置１８、左右一対の主駆動スプロケット２４，２４、左右一対の手摺りベルトスプロケット２７，２７が設けられている。この駆動装置１８は、モータ２０と、減速機と、この減速機の出力軸に取り付けられた出力スプロケットと、この出力スプロケットにより駆動する駆動チェーン２２と、モータ２０の回転を停止させ、かつ、停止状態を保持するディスクブレーキとを有している。この駆動チェーン２２により左右一対の主駆動スプロケット２４，２４が回転する。左右一対の主駆動スプロケット２４，２４と左右一対の手摺りベルトスプロケット２７，２７とは、不図示の連結ベルトにより連結されて同期して回転する。また、上階側の機械室１４内部には、モータ２０やディスクブレーキなどを制御する制御部５０が設けられている。
【００１４】
トラス１２の下端部にある下階側の機械室１６内には、左右一対の従動スプロケット２６，２６が設けられている。上階側の左右一対の主駆動スプロケット２４，２４と下階側の左右一対の従動スプロケット２６，２６との間には、左右一対の無端の踏段チェーン２８，２８が掛け渡されている。左右一対の踏段チェーン２８，２８には、複数の踏段３０が等間隔で取り付けられている。モータ２０が回転すると踏段３０の前輪３０１は、トラス１２に固定された不図示の案内レールを走行し、後輪３０２はトラス１２に固定された案内レール２５を走行する。
【００１５】
トラス１２の左右両側には、左右一対の欄干３６，３６が立設されている。この欄干３６の上部に手摺りレール３９が設けられ、この手摺りレール３９に沿って無端状の手摺りベルト３８が移動する。欄干３６の上階側の正面下部には上階側の正面スカートガード４０が設けられ、下階側の正面下部には下階側の正面スカートガード４２が設けられ、正面スカートガード４０，４２から手摺りベルト３８の出入口であるインレット部４６，４８がそれぞれ突出している。
【００１６】
欄干３６の側面下部には、スカートガード４４が設けられ、左右一対のスカートガード４４，４４の間を踏段３０が走行する。上下階のスカートガード４４の内側面には、操作盤５２，５６、スピーカ５４，５８がそれぞれ設けられている。
【００１７】
手摺りベルト３８は、上階側のインレット部４６から正面スカートガード４０内に侵入し、複数の案内ローラからなる案内ローラ群６４を介して手摺りベルトスプロケット２７に掛け渡され、その後、複数の案内ローラからなる案内ローラ群６６を介してスカートガード４４内を移動し、下階側のインレット部４６から正面スカートガード４２外に表れる。そして、手摺りベルト３８は、手摺りベルトスプロケット２７が主駆動スプロケット２４と共に回転することにより踏段３０と同期して移動する。また、回転する手摺りベルトスプロケット２７に走行する手摺りベルト３８を押圧するための複数の押圧ローラからなる押圧ローラ群６８を有する。また、案内ローラ群６６を経て下階側のインレット部４６に至る手摺りベルト３８の走行路の途中には、清掃装置７０，７２が設けられている。この清掃装置７０，７２は後から詳しく説明する。
【００１８】
上階側の左右一対のスカートガード４４，４４の乗降口であって、機械室１４の天井面には、上階側の乗降板３２が水平に設けられている。下階側の左右一対のスカートガード４４，４４の乗降口であって、機械室１６の天井面には、下階側の乗降板３４が水平に設けられている。上階側の乗降板３２の先端には櫛歯状のコム６０が設けられ、このコム６０に踏段３０が侵入する。また、下階側の乗降板３４の先端にも櫛歯状のコム６２が設けられている。
【００１９】
（２）清掃装置７０，７２の構造
次に、手摺りベルト３８の清掃装置７０，７２について図２〜図４に基づいて説明する。
【００２０】
手摺りベルト３８の清掃装置７０は、支持部材７４、円板７５、ブラシ毛８２、ローラ８４を有する。なお、手摺りベルト３８は、ゴム又はウレタン製であって断面Ｃ字型であり、中央の平らな部分３８ａと、その平らな部分の左右両側からそれぞれ湾曲するように延びた湾曲端部３８ｂとからなる。
【００２１】
支持部材７４は、金属板であって、一端部はトラス１２にボルトや溶接などによって固定され、手摺りベルトの走行路方向に対し直角に延びている。支持部材７４の他端部の上面からは固定軸７６が立設されている。
【００２２】
円形の円板７５の中心には、円筒形の円筒回転軸７８が設けられている。円筒回転軸７８の内周には、固定軸７６が配され、図４に示すように、ベアリング８０，８０を介して、円筒回転軸７８が回転自在に取り付けられている。ブラシ毛８２が、円板７５の上面全てに植毛されている。このブラシ毛８２は、円板７５の中心から外周部に行くほど短く形成されている。さらに、具体的にはＣ字型の手摺りベルト３８の表面形状に沿って短くなっている。
【００２３】
円筒回転軸７８の上端部にはゴム製のローラ８４が設けられている。このローラ８４の位置は、最も背の高いブラシ毛８２の位置よりも上方に設けられている。ローラ８４の外周面は、Ｃ字型の手摺りベルト３８の湾曲端部３８ｂの上部表面に合わせてやや内方に凹んだ曲面形状となっている。
【００２４】
清掃装置７２も、清掃装置７０と同様の構造を有し、図２に示すようにトラス１２における取り付け位置が、手摺りベルト３８の走行路の前方にずれた位置に取り付けられている。
【００２５】
（３）清掃装置７０，７２の動作状態
エスカレータ１０の踏段３０が走行し、その踏段３０の走行速度と同期して手摺りベルト３８も走行している。手摺りベルト３８は、欄干３６の下部に侵入しているときは、図３に示すようにＣ字型の手摺りベルト３８の上下が反対になった状態である。そのため、乗客の手が接触する手摺りベルト３８の平らな部分３８ａの表面は下部に位置している。
【００２６】
手摺りベルト３８が走行すると、手摺りベルト３８の湾曲端部３８ｂの上部表面に接触しているローラ８４が回転し、それと共に円板７５も図２に示すように回転する。すると、ブラシ毛８２が手摺りベルト３８の平らな部分３８ａの右側の表面と湾曲端部３８ｂの右下側の表面を清掃する。
【００２７】
清掃装置７２においても、手摺りベルト３８の走行と共にローラ８４と円板７５が回転し、ブラシ毛８２が手摺りベルト３８の平らな部分３８ａの左側の表面と湾曲端部３８ｂの左下側の表面を清掃する。
【００２８】
以上により、左右一対の清掃装置７０，７２を手摺りベルト３８が通過することにより、手摺りベルト３８の平らな部分３８ａの表面と湾曲端部３８ｂの下部が全て清掃される。
【００２９】
（４）効果
本実施形態によれば、清掃装置７０，７２は、トラス１２に固定した支持部材７４とブラシ毛８２とローラ８４を有する円板７５から構成された簡単な構造になり、また、円板７５を回転させるためのモータが不要であり、その構造が簡単である。したがって、部品点数を削減でき、またこれによりコストの削減となる。
【００３０】
また、ローラ８４が走行する手摺りベルト３８の湾曲端部３８ｂの上部表面に接触して回転する構造であるため、確実に円板７５が回転し、回転するブラシ毛８２によって手摺りベルト３８の表面を清掃できる。
【００３１】
また、ローラ８４はゴム製であるため、手摺りベルト３８の湾曲端部３８ｂの上部表面を清掃できる。
【００３２】
また、清掃装置７０は、手摺りベルト３８の右側、清掃装置７２は手摺りベルト３８の左側を清掃することにより、手摺りベルト３８の表面を全て清掃できる。
【００３３】
（５）変更例
上記実施形態では、図４に示すように円板７５の上面からのみブラシ毛８２を設けたが、これに代えて図５に示すように、円筒回転軸７８から円板７５の上面にかけて傾斜面を設け、かつ、この傾斜面を手摺りベルト３８の表面の曲面形状に合わせて曲面に形成し、円板７５の上面全てに加えて、この曲面部分にもブラシ毛８２を植毛することにより、手摺りベルト３８の表面を清掃する範囲をより広くできる。
【００３４】
（６）他の変更例
上記実施形態では、円板７５の表面にブラシ毛８２を植毛したが、このブラシ毛９２に代えて清掃用の布を取り付けてもよい。
【００３５】
上記実施形態では、エスカレータ１０に適用して説明したが、これに代えて動く歩道に適用してもよい。
【００３６】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３７】
１０・・・エスカレータ、１２・・・トラス、３８・・・手摺りベルト、７０・・・清掃装置、７２・・・清掃装置、７４・・・支持部材、７５・・・円板、７６・・・固定軸、７８・・・円筒回転軸、８０・・・ベアリング、８２・・・ブラシ毛、８４・・・ローラ
【要約】
【課題】構造が簡単で壊れ難い乗客コンベアの手摺りベルト清掃装置を提供する。
【解決手段】支持部材７４と、支持部材７４から上方に突出した固定軸７６と、円板７５と、円板７５の中心から上方に立設され、かつ、その内周に固定軸７６が配された円筒形の円筒回転軸７８と、円筒回転軸７８を固定軸７６に対し回転自在に支持するベアリング８０と、円筒回転軸７８の外周における円板７５上に植毛され、手摺りベルト３８を清掃するブラシ毛８２と、ブラシ毛８２の上端部より上方に位置する円筒回転軸７８に固定されたローラ８４と、を有する。
【選択図】      図３【図１】
0006046232.tif 000002
【図２】
0006046232.tif 000003
【図３】
0006046232.tif 000004
【図４】
0006046232.tif 000005
【図５】
0006046232.tif 000006